(57)【要約】      （修正有）【課題】製品データ管理システムから取込んだ部品表データを容易に編集し、この部品表データから３次元ＣＡＤデータを生成して再構築の工数を低減する。【解決手段】編集装置９には、製品データの構成部品の情報を編集用部品表データに構築する部品表データ取込部１０、３次元ＣＡＤデータの管理情報データを取得する３次元ＣＡＤデータ取込部１１、編集用部品表データ及び３次元ＣＡＤデータの管理情報データを連携させて編集用部品表データを再構築する３次元ＣＡＤデータ情報連携部１２、編集用部品表データに対して所要の編集をする部品表データ情報編集部１３、編集部品に連携の部品構成情報を生成する連携３次元ＣＡＤデータ生成部１４を設けた。【選択図】図１
2007025896.tif 000002
【特許請求の範囲】
【請求項１】
作業内容等を表示する表示装置と、データ生成の作業時に作業内容の指示等を行う入力装置と、記録した製品データと３次元ＣＡＤデータを基に連携３次元ＣＡＤデータの生成を実施する演算処理装置とを有し、前記演算処理装置内には記録された製品データと３次元ＣＡＤデータとの製品に関する情報を管理する製品データ管理システムと、３次元ＣＡＤデータを用いる３次元ＣＡＤシステムと、編集した部品表データから３次元ＣＡＤデータを生成する連携データ編集装置とを備え、前記連携データ編集装置には、記録された製品データより製品の構成部品の情報を取得して編集用部品表データを構築する部品表データ取込部及び記録された３次元ＣＡＤデータの管理情報データを取得する３次元ＣＡＤデータ取込部と、前記編集用部品表データ及び３次元ＣＡＤデータの管理情報データを連携させて編集用部品表データを再構築する３次元ＣＡＤデータ情報連携部と、前記編集用部品表データに対して所要の編集を行う部品表データ情報編集部と、前記部品表データ編集部で編集の部品に連携させる３次元ＣＡＤデータを生成する連携３次元ＣＡＤデータ生成部と、を設けて構成したことを特徴とする部品表連携３次元ＣＡＤデータ生成装置。
【請求項２】
記録保存された製品データより既製品の構成部品の情報を取得して編集用部品表データを構築し、前記編集用部品表データの各部品データに連携する３次元ＣＡＤデータの有無を検索して取込んだ取込データに３次元ＣＡＤデータの管理情報データを連携させて編集用部品表データを再構築し、前記編集用部品表データ情報に対して所要の編集を行い、編集された前記編集用部品表データの各部品に連携させるのに必要な３次元ＣＡＤデータ情報の編集を実施し、編集された前記部品表データ情報の各部品に連携させる３次元ＣＡＤデータの生成を行うことを特徴とする部品表連携３次元ＣＡＤデータ生成方法。
【発明の詳細な説明】
【技術分野】
【０００１】
本発明は、製品に使用される部品の構成等を管理する部品表のデータと各部品の３次元ＣＡＤ（ｃｏｍｐｕｔｅｒ  ａｉｄｅｄ  ｄｅｓｉｇｎ）データとの連携を取りながら３次元ＣＡＤデータを生成する部品表連携３次元ＣＡＤデータ生成装置及び生成方法に関する。
【背景技術】
【０００２】
一般に、複雑かつ多数の部品から構成される製品の設計においては、部品表システムを用いて部品の管理を行っている。部品表とは、任意の製品に使用される部品の親と子の構成、部品の個数、部品の設計変更履歴等の部品固有の情報、製品での組立単位、使用される状態等について、部品毎に管理する表である。従来の部品表作成システムでは、ＣＡＤ図面に記載されている属性情報を、手入力或いは電子データからの取込みによって部品表に登録することが行われている。
【０００３】
また、従来からＣＡＤ図面の作成以外の追加作業をできるだけ少なくして、図面の属性情報を部品表へ登録することが可能な部品表作成システムおよび作成方法が提案されている（特許文献１参照）。しかしながら、この公知のシステムでは、作成した部品表を基にして、部品表のデータを編集することは可能であるが、編集後の部品表データに基づいて、３次元ＣＡＤデータを支障なく生成することが容易に行えないため、この改善が望まれている。
【０００４】
また、従来のＣＡＤ図面を主体とする製品設計では、既存製品の図面データを流用し、設計の効率化を図ろうとする傾向にあり、ＣＡＤ図面の組図においては、複数の製品の構成を考慮したバリエーション形式の作図を行い、複数の製品に対応可能な図面作成形態を取ってきた。このため、ＣＡＤ図面から情報を得て、設計部品表を作成するプロセスの作業形態となる傾向がある。
【０００５】
【特許文献１】特開２００３−２９６３７７号公報
【発明の開示】
【発明が解決しようとする課題】
【０００６】
しかし、最近では従来の２次元図面主体の設計から、製品形状の構造把握や品質及び信頼性向上のために、解析システム連携等に優れる３次元ＣＡＤシステムを利用する企業が増加してきている。３次元ＣＡＤシステムは、記載した特徴があるものの、バリエーション対応に対しては、ＣＡＤ図面の組図に相当するアセンブリファイルを製品の数分だけ作成する必要があり、設計効率に大きな影響を及ぼすことになる。しかも、チーム設計を行うときは、３次元ＣＡＤデータは複数ユーザに活用されることになり、頻繁なデータの更新も行われるから、部品表データとの整合性を十分に配慮する必要がある。
【０００７】
本発明の目的は、製品データ管理システムから取込んだ部品表データを容易に編集可能とすると共に、編集後の部品表データから３次元ＣＡＤデータを生成し、かつ部品表データと３次元ＣＡＤデータを連携させ、双方の関連性を設定できる部品表連携３次元ＣＡＤデータ生成装置及び生成方法を提供することにある。
【課題を解決するための手段】
【０００８】
本発明の部品表連携３次元ＣＡＤデータ生成装置では、作業内容等を表示する表示装置と、データ生成の作業時に作業内容の指示等を行う入力装置と、記録した製品データと３次元ＣＡＤデータを基に連携３次元ＣＡＤデータの生成を実施する演算処理装置とを有し、前記演算処理装置内には記録された製品データと３次元ＣＡＤデータとの製品に関する情報を管理する製品データ管理システムと、３次元ＣＡＤデータを用いる３次元ＣＡＤシステムと、編集した部品表データから３次元ＣＡＤデータを生成する連携データ編集装置とを備え、この連携データ編集装置には、記録された製品データより製品の構成部品の情報を取得して編集用部品表データを構築する部品表データ取込部及び記録された３次元ＣＡＤデータの管理情報データを取得する３次元ＣＡＤデータ取込部と、編集用部品表データ及び３次元ＣＡＤデータの管理情報データを連携させて編集用部品表データを再構築する３次元ＣＡＤデータ情報連携部と、編集用部品表データに対して所要の編集を行う部品表データ情報編集部と、この部品表データ編集部で編集の部品に連携させる３次元ＣＡＤデータを生成する連携３次元ＣＡＤデータ生成部とを設けて構成したもので、この部品表連携３次元ＣＡＤデータ生成装置を用い、定められた手順にしたがって連携３次元ＣＡＤデータを生成するものである。
【発明の効果】
【０００９】
本発明のように構成すれば、製品データ管理システムから取込んだ部品表データを編集すると共に、編集後の部品表データから３次元ＣＡＤデータを生成することができ、３次元ＣＡＤデータ再構築の工数が低減できる。しかも、部品表を先行させた設計スタイルが可能となり、設計、製造、調達間での部品表の共用ができることから、製品開発リードタイムの短縮に大きく貢献できる。
【発明を実施するための最良の形態】
【００１０】
以下、本発明による部品表連携３次元ＣＡＤデータ生成装置の構成の一実施例を、図１に示すブロック図を用いて説明する。
【実施例１】
【００１１】
本発明の部品表連携３次元ＣＡＤデータ生成装置には、作業内容等を表示する表示装置１、データ生成の作業時に作業内容等の指示を行う入力装置２、製品データや３次元ＣＡＤデータを基に連携３次元ＣＡＤデータの生成を実施する演算処理装置３、作業用データメモリ４、後述する製品データ保管用記憶装置５及び３次元ＣＡＤデータファイル保管用記憶装置６を備えている。この図の例では、作業用データメモリ４、製品データ及び３次元ＣＡＤデータファイル保管用記憶装置５、６を、演算処理装置３外に設けたもので示しているが、内蔵させても何ら問題はなく、部品表連携３次元ＣＡＤデータ生成装置の全体の状況に応じて、内蔵や外置きを適宜選択できる。
この演算処理装置３内には、製品に関与する種々の情報を管理する製品データ管理システム７、公知のものと同様な３次元ＣＡＤシステム８、及び編集した部品表データから３次元ＣＡＤデータを生成する連携データ編集装置９を有している。
【００１２】
製品データ保管用記憶装置５で保管する部品表データ構造の例を、図３に示している。この部品表データは、部品データテーブル９１と部品構成データテーブル９２とに保管される。部品データテーブル９１は、製品データ管理システム７で管理する部品データのキーコードとなる部品データＩＤ（ｉｄｅｎｔｉｆｉｃａｔｉｏｎ）、部品の主種類を定義する部品タイプ、部品名、部品リビジョン番号、部品番号等で構成される。また、部品構成データテーブル９２は、製品データ管理システム６で部品間の親子関係データを定義する構成データのキーコードとなる構成データＩＤ、構成データの親部品に関する親部品データＩＤ、構成データの子部品に関する子部品データＩＤ、親部品に構成される子部品の員数等で構成される。
更に、製品データ保管用記憶装置５で保管する３次元ＣＡＤデータ管理情報データの構造の例を、図４に示している。３次元ＣＡＤデータ管理情報データは、３次元ＣＡＤデータテーブル９３と連携データテーブル９４とに保管される。３次元ＣＡＤデータテーブル９３は、製品データ管理システム７で３次元ＣＡＤデータファイルを管理する３次元ＣＡＤデータ管理情報データのキーコードとなる３ＤデータＩＤ、３次元ＣＡＤデータの種類を定義する３Ｄタイプ、３次元ＣＡＤデータのファイル名、３次元ＣＡＤデータファイルの保管位置を示すファイルパス、３Ｄリビジョン番号等で構成される。また、連携データテーブル９４は、製品データ管理システム７で部品データと３次元ＣＡＤデータとの連携関係を定義する連携データのキーコードとなる連携データＩＤ、部品データＩＤ、３ＤデータＩＤ等で構成される。
製品データ管理システム７は、製品の部品表データ、３次元ＣＡＤデータ等、製品に関与する種々の情報を管理できるシステムであり、製品構成のトップアセンブリが指定されると製品の構成情報、即ち部品表データを出力することが可能なシステムであり、製品データ保管用記憶装置５より必要な部品表データを取得できる。
【００１３】
連携データ編集装置９には、部品表データ取込部１０と３次元ＣＡＤデータ取込部１１の二つの取込部を備えている。部品表データ取込部１０は、製品データ管理システム７を介し製品データ保管用記憶装置５より製品の構成部品の情報を取得して編集用部品表データを構築し、作業用データメモリ４に保存する。また、３次元ＣＡＤデータ取込部１１は、製品データ管理システム７を介して３次元ＣＡＤデータファイル保管用記憶装置６から製品の構成部品毎に作成された３次元ＣＡＤデータファイルと製品データ保管用記憶装置５から３次元ＣＡＤデータの管理情報データを取得し、それぞれ３次元ＣＡＤデータファイル保管用記憶装置６内の作業用エリアと作業用データメモリ４に保存する。
その上、連携データ編集装置９には、部品表データ取込部１０で保存した編集用部品表データと、３次元ＣＡＤデータ取込部１１で保存した３次元ＣＡＤデータ管理情報データを連携させ、これらから編集用部品表データを再構築して作業用データメモリ４に保存する３次元ＣＡＤデータ情報連携部１２と、入力装置２からの指示入力情報で編集用部品表データを編集する部品表データ編集部１３を備えている。しかも、連携３次元ＣＡＤデータ生成部１４も備えており、この連携３次元ＣＡＤデータ生成部１４によって、部品表データ編集部１３で編集された部品に連携させる３次元ＣＡＤデータファイルと、この３次元ＣＡＤデータファイルがアセンブリファイルの場合に、部品構成情報を生成するものである。
【００１４】
本実施例による部品表連携３次元ＣＡＤデータ生成装置の処理手順を、図２に示している。まず、部品表データ取込部１０を用いて入力装置２から指示された既製品のトップアセンブリ部品データＩＤにより、部品表データを製品データ管理システム７に取込指示し、編集用部品表データを構築し作業用データメモリ４に保存する（処理ステップＳ１）。この処理ステップＳ１で取得し、構築して作業用データメモリ４に保存した編集用部品表データ９５の一例を、図５に示している。取得する情報は、ツリー表示Ｎｏ、部品データＩＤ、部品タイプ、部品名、部品リビジョン番号、親部品データＩＤ及び員数であり、ツリー表示Ｎｏは、編集用部品表データを表示装置１に表示する際の並び順を定義するデータである。
【００１５】
次に、３次元ＣＡＤデータ取込部１１を使用し、作業用データメモリ４に保存した編集用部品表データの各部品データに連携されている３次元ＣＡＤデータの有無を、製品データ管理システム７に検索指示すると共に、３次元ＣＡＤデータが存在した場合には、これを取込指示する。この取込データは、３次元ＣＡＤデータファイルを３次元ＣＡＤデータファイル保管用記憶装置６内の作業用エリアである［Ｗｏｒｋ］ディレクトリに複写保存し、更に３次元ＣＡＤデータ情報連携部１２を用いて、処理ステップＳ１で作業用データメモリに保存した編集用部品表データに、３次元ＣＡＤデータの管理情報データを加えた編集用部品表データを再構築し、作業データメモリに保存する（処理ステップＳ２）。
【００１６】
処理ステップＳ２において作業用データメモリ４に保存した編集用部品表データの一例を、図６に示している。上記の図５で取得して保存した部品表データ情報は、展開され、更に各部品データに３次元ＣＡＤデータの管理情報データ９６が連携されることになる。また、次の処理ステップＳ３で使用する編集用フラグ９７が準備され、部品データと３次元ＣＡＤデータの連携状態を示す３ＤＣＡＤデータ連携フラグには、データ取込時の連携状態値が設定される。
次に、部品表データ編集部１３を使用し、編集用部品表データ情報に対して所要の編集を行い（処理ステップＳ３）、連携３次元ＣＡＤデータ生成部１４を使用し、編集された編集用部品表データの各部品に連携させる３次元ＣＡＤデータ情報の編集を実施し（処理ステップＳ４）、最後に、編集された部品表データ情報の各部品に連携させる３次元ＣＡＤデータの生成を実施する（処理ステップＳ５）ものである。これら処理ステップＳ３、処理ステップＳ４及び処理ステップＳ５の詳細な手順は、それぞれ図７、図１２、図１６を用いて後述する。
【００１７】
部品表データ情報の編集操作を行う処理ステップＳ３は、図７のフローチャートに示すように、まず表示装置１に部品表データをツリー表示させ編集操作を開始する（処理ステップＳ３１）。また、この処理ステップＳ３１では、編集機能で使用される部品群で後述する部品検索処理によって検索の部品群を表示するための部品リストも表示される。この部品表ツリーの表示状態の一例を、図８に示しており、部品表データはツリー上に表示され、部品間の階層関係を把握でき、各部品に対してツリー表示Ｎｏ、部品データＩＤ、部品名及び編集状態が表示される。また、部品リストの一例を図９に示し、トップアセンブリ(部品コード＝０)、アセンブリ(部品コード＝１)及びパート(部品コード＝２)に対応する新規部品９７と、後述する部品検索処理の処理ステップＳ３９１で検索の部品群９８の選択が可能な状態となっている。
【００１８】
次に、編集処理終了の判定が入力装置２から編集終了の入力指示であれば、部品表データ編集部１４での作業は終了する（処理ステップＳ３２）。編集終了でない入力指示をした場合は、所要の編集機能の選択を入力指示する（処理ステップＳ３３）。この処理ステップＳ３３での編集機能としては、部品置換処理、部品追加処理、部品複写処理、部品更新処理、部品削除処理及び部品検索処理があり、部品表データの編集は、これらの機能で十分に対応できる。各処理ステップＳ３４、Ｓ３５、Ｓ３６、Ｓ３７、Ｓ３８、Ｓ３９でそれぞれ判定行い、対応する機能の各処理ステップＳ３４１、Ｓ３５１、Ｓ３６１、Ｓ３７１、Ｓ３８１、Ｓ３６１のいずれかに移行し、これら機能の処理が終了した後、編集処理終了判定ステップＳ３２に移行し、編集終了の入力指示がされるまで編集状態を継続する。
【００１９】
部品データの置換処理を行うため、表示装置１に表示した部品表ツリーから、置換前の部品と部品リストより置換後の部品を選択し、入力装置２より追加部品のツリー表示Ｎｏ、部品ＩＤ、部品タイプ、部品名、及び員数を入力指示することで、編集用部品表データに取込み、ツリー表示Ｎｏと一致するデータに対し、部品ＩＤ、部品タイプ、部品名、員数、部品リビジョン番号と、部品変更フラグに“置換”を設定する（処理ステップＳ３４１）。
【００２０】
次に部品データの追加処理を行うため、表示装置１に表示した部品表ツリーから、追加部品の親部品と挿入位置を設定する部品と、部品リストより追加する部品を選択し、入力装置２より追加部品のツリー表示Ｎｏ、部品ＩＤ、部品タイプ、部品名、及び員数を入力指示することで、編集用部品表データに取込み、ツリー表示Ｎｏと一致するデータの後に１行追加し追加位置以下のデータのツリー表示Ｎｏを振り直した後、追加行に部品ＩＤ、部品タイプ、部品名、員数と、部品リビジョン番号に“ａ”、親部品ＩＤと部品変更フラグに“追加”を設定する（処理ステップＳ３５１）。
【００２１】
その後、部品データの複写処理をするものであり、表示装置１で、部品表ツリーより複写部品を選択し、複写部品のツリー表示Ｎｏと部品ＩＤを、入力装置２より入力指示して編集用部品表データに取込み、ツリー表示Ｎｏと一致するデータに対し、部品変更フラグに“複写”と３ＤＣＡＤ変更フラグに“複製”を設定する（処理ステップＳ３６１）。
【００２２】
部品データの更新処理を行うため、表示装置１に表示した部品表ツリーから、更新部品を選択し、更新部品のツリー表示Ｎｏ、部品ＩＤ、員数を入力装置２より入力指示して編集用部品表データに取込み、ツリー表示Ｎｏと一致するデータに対し、員数と、部品変更フラグに“更新”と３ＤＣＡＤ変更フラグに“更新”を設定する（処理ステップＳ３７１）。
【００２３】
次には部品データの削除処理を行うため、表示装置１に表示した部品表ツリーから削除部品を選択し、追加部品のツリー表示Ｎｏを入力装置２より入力指示して編集用部品表データに取込み、ツリー表示Ｎｏと一致する行を削除し、次行以下のデータに対し、ツリー表示Ｎｏを１繰上げて振り直す（処理ステップＳ３８１）。
【００２４】
更に、部品データの検索処理を行うために、入力装置２より入力された部品ＩＤ、部品名、部品番号等の部品データテーブル９１に対する検索条件として、製品データ管理システムに検索指示し、検索結果を部品リストに追加し、作業用データメモリに保存する（処理ステップＳ３９１）。表示装置１での部品表ツリーの表示状態を、図１０に示しており、また部品表データ編集操作で作成され作業用データメモリに保存された編集用部品表データの一例を、図１１に示している。
【００２５】
連携３次元ＣＡＤデータ情報の編集を行う処理ステップＳ４について、図１２に示す詳細なフローチャートを用いて説明する。編集された編集用部品表データの各部品に連携させる３次元ＣＡＤデータ情報の編集を行うため、まず編集で変更された部品データ及び３次元ＣＡＤデータを、製品データ管理システム７を介し製品データ保管用記憶装置５に登録すると共に、部品データＩＤ及び３次元ＣＡＤデータＩＤを取得し、作業用データメモリに保存する（処理ステップＳ４１）。この作業用データメモリに登録されデータの一例を、図１３に示している。
【００２６】
次に、取得した部品データＩＤ及び３次元ＣＡＤデータＩＤを編集用部品表データに展開した後、変更された部品構成情報及び連携データの登録を行う（処理ステップＳ４２）。この登録する部品構成情報及び連携データの一例を、図１４に示している。  その後、変更された部品データに連携させる３次元ＣＡＤデータファイルのファイル名を定義する（処理ステップＳ４３）。３次元ＣＡＤデータファイル名を定義した編集用部品表データの一例は、図１５に示すように部品変更フラグが“複写”及び“追加”に指定されたデータのファイル名に変更される。
【００２７】
処理ステップＳ５について、図１６に示す詳細なフローチャートを用いて順に説明する。３次元ＣＡＤデータファイルを生成する処理は、図１５の編集用部品表データ内の３ＤＣＡＤ変更フラグが“複製”又は“新規”となっているデータを取得し、“複製”データに対しては３次元ＣＡＤデータファイルを変更前ファイル名とファイルパスで取得した後、３次元ＣＡＤシステム８を使用し、編集用部品表データに設定されたファイル名で３次元ＣＡＤデータファイルを生成する（処理ステップＳ５１）。
【００２８】
この後、編集用部品表データ内の３ＤＣＡＤ変更フラグが“複製”又は“新規”、かつ３Ｄタイプが“１”であるアセンブリファイルのデータを取得する構成情報を変更する必要がある３次元ＣＡＤデータファイルの抽出を行い（処理ステップＳ５２）、抽出情報データを作業用データメモリに保存する。次に、抽出情報データの数をカウントし、作業用データメモリに保存する（処理ステップＳ５３）。
【００２９】
３次元ＣＡＤデータファイルの編集終了判定（処理ステップＳ５４）において、抽出情報データカウント数が“０”で無い場合、３次元ＣＡＤシステムを使用し、３次元ＣＡＤシステムデータファイルから構成情報を取得する（処理ステップＳ５５）。
【００３０】
次に、構成情報と編集用部品表データとを比較し、３次元ＣＡＤシステムデータファイルの構成ファイルに対する編集情報を、作業用データメモリ４へ保存する（処理ステップＳ５６）。３次元ＣＡＤシステムデータファイルの構成情報に対する編集情報は、図１７に一例を示すように、処理フラグで現構成ファイルの編集内容を定義できる。更に、編集情報により３次元ＣＡＤシステムで自動的に３次元ＣＡＤデータファイルの構成情報を編集する（処理ステップＳ５７）。この処理実施前における３次元ＣＡＤシステムデータファイルの構成情報の表示内容を図１８に示し、またこの処理実施後の３次元ＣＡＤシステムデータファイルの構成情報を表示した一例を図１９に示しており、ここには図１５に示したファイル名でその員数分の構成情報が表示されるようになる。
次に、抽出情報データカウント数を“１”減らし（処理ステップＳ５８）、抽出情報データカウント数が“０”になるまで、各処理ステップＳ５４、Ｓ５５、Ｓ５６、Ｓ５７、及びＳ５８の処理を繰り返し、処理ステップＳ５４で抽出情報データカウント数が“０”と判定した場合、最後に、生成及び編集した３次元ＣＡＤシステムデータファイルを製品データ管理システム７の管理領域である３次元ＣＡＤデータファイル保管用記憶装置内の[Ｖａｕｌｔ]ディレクトリへ登録を行い（処理ステップＳ５４１）、処理を終了する。
【図面の簡単な説明】
【００３１】
【図１】本発明の部品表連携３次元ＣＡＤデータ生成装置の一実施例を示すブロック図である。
【図２】本発明の用いた部品表連携３次元ＣＡＤデータ生成処理手順のフローチャートである。
【図３】部品表データの保管構造を示すデータ構成図である。
【図４】３次元ＣＡＤデータ管理情報データの保管構造を示すデータ構成図である。
【図５】初期データ取込時の編集用部品表データの例を示す図である。
【図６】部品ツリー編集時の編集用部品表データの例を示す図である。
【図７】部品表データ情報を編集する処理手順のフローチャートである。
【図８】部品表ツリーの表示状態の一例を示す図である。
【図９】３次元ＣＡＤデータを生成する処理手順のフローチャートである。
【図１０】部品表データ情報の編集後における部品表ツリーの表示状態例を示す図である。
【図１１】部品表データ情報の編集結果の例を示す図である。
【図１２】３次元ＣＡＤデータ情報を編集する処理手順のフローチャートである。
【図１３】製品データ管理システムへ登録する部品及び３次元ＣＡＤデータの例を示す図である。
【図１４】製品データ管理システムへ登録する連携データ情報の例を示す図である。
【図１５】３次元ＣＡＤデータ情報の編集結果の例を示す図である。
【図１６】３次元ＣＡＤデータを生成の処理手順のフローチャートである。
【図１７】３次元ＣＡＤアセンブリファイルデータを自動生成する構成情報の例を示す図である。
【図１８】部品表データ編集前の３次元ＣＡＤアセンブリファイルデータ構成の例を示す図である。
【図１９】部品表データ編集後に自動生成した３次元ＣＡＤアセンブリファイルデータの構成例を示す図である。
【符号の説明】
【００３２】
１…表示装置、２…入力装置、３…演算処理装置、７…製品データ管理システム、８…３次元ＣＡＤシステム、９…連携データ編集装置、１０部品表データ取込部、１１…３次元ＣＡＤデータ取込部、１２…３次元ＣＡＤデータ情報連携部、１３…部品表データ情報編集部、１４…連携３次元ＣＡＤデータ生成部。
【図１】
2007025896.tif 000003
【図２】
2007025896.tif 000004
【図３】
2007025896.tif 000005
【図４】
2007025896.tif 000006
【図５】
2007025896.tif 000007
【図６】
2007025896.tif 000008
【図７】
2007025896.tif 000009
【図８】
2007025896.tif 000010
【図９】
2007025896.tif 000011
【図１０】
2007025896.tif 000012
【図１１】
2007025896.tif 000013
【図１２】
2007025896.tif 000014
【図１３】
2007025896.tif 000015
【図１４】
2007025896.tif 000016
【図１５】
2007025896.tif 000017
【図１６】
2007025896.tif 000018
【図１７】
2007025896.tif 000019
【図１８】
2007025896.tif 000020
【図１９】
2007025896.tif 000021